(57)【特許請求の範囲】
【請求項１】
着信時にその着信元の発信者情報を受信可能な通信装置において、
上記発信者情報に対応する情報を記憶する記憶手段と、
該記憶手段に記憶された情報を着信時に報知する報知手段とを設ける一方、
上記報知手段は、通信前に着信を受けたときと、通信中に着信を受けたときとで、報知する情報を異ならせると共に、通信中に着信を受けたときに報知する情報を、通信前に着信を受けたときに報知する情報の一部とすることを特徴とする通信装置。
【発明の詳細な説明】
【０００１】
【発明の属する技術分野】
本発明は、着信時にその着信元の発信者情報を受信可能な通信装置に関する。
【０００２】
【従来の技術】
従来より、通信前及び通信中において、着信時にその着信元の発信者情報を通知する通信前情報通知サービス及び通信中情報通信サービスが提供されており、これらサービスが適用可能な通信装置においては、着信に応答する前に、その着信時に受信された発信者情報に対応する予め登録しておいた情報をディスプレイに表示させたり音声によって放音させるようにしたものが提案されていた。
【０００３】
【発明が解決しようとする課題】
ところが、上記従来装置のように、着信時に受信された発信者情報に対応する予め登録しておいた情報を報知するものでは、発信者情報に対応する情報の情報量を多くすることによって、使用者に発信者の情報をより多く伝えることができるものの、このような情報をディスプレイに表示させたり音声によって放音させる場合には、他の情報をディスプレイに表示できなくなったり通話の邪魔になったりして通信に支障を来すといった問題点があり、逆に、発信者情報に対応する情報の情報量を少なくした場合には、通信に支障を来すことがないものの、使用者に必要最低限の情報しか伝えることができないといった問題点があった。
【０００４】
本発明は、通信に支障を来すことなく、使用者に発信者の情報をより多く伝えることができる通信装置を提供することを目的とするものである。
【０００５】
【課題を解決するための手段】
上記目的を達成するために、本発明は、着信時にその着信元の発信者情報を受信可能な通信装置において、上記発信者情報に対応する情報を記憶する記憶手段と、該記憶手段に記憶された情報を着信時に報知する報知手段とを設ける一方、上記報知手段が、通信前に着信を受けたときと、通信中に着信を受けたときとで、報知する情報を異ならせるよう構成したものである。
【０００６】
従って、本発明によれば、着信を受けたとき、その着信元の発信者情報に対応する情報を記憶手段から読み出して報知手段が報知を行うと共に、その報知する情報を、通信前に着信を受けたときと通信中に着信を受けたときで異ならせることにより、通信前と通信中とに報知する情報をそれぞれ最適なものとすることができる。
【０００７】
又、本発明は、上記の構成に加え、上記報知手段が、通信中に着信を受けたときに報知する情報を、通信前に着信を受けたときに報知する情報の一部とするように構成したものである。
【０００８】
従って、本発明によれば、通信前に着信を受けたとき、その着信元の発信者情報に対応する情報を記憶手段から読み出して報知手段が報知を行う一方、通信中に着信を受けたとき、その着信元の発信者情報に対応する情報の一部を記憶手段から読み出して報知手段が報知を行うことにより、通信前と通信中とに報知する情報をそれぞれ最適なものとすることができる。
【００１１】
【発明の実施の形態】
以下、本発明の実施の形態を図面を参照して詳細に説明する。
【００１２】
図１は本発明の通信装置の一実施の形態である一般電話機の構成を示す機能ブロック図、図２は同一般電話機における記憶装置のデータ構成を示す説明図であり、（ａ）は一例を、（ｂ）は他の例をそれぞれ示す。図３は同一般電話機における表示部のデータ表示例を示す説明図であり、（ａ）〜（ｃ）は電話帳データ登録されている場合における通信前及び通信中の表示例を、（ｄ）〜（ｅ）は電話帳データ登録されていない場合における通信前及び通信中の表示例をそれぞれ示す。図４は同一般電話機における待機状態の動作制御を示すフローチャート、図５は同一般電話機における通信状態の動作制御の一例を示すフローチャート、図６は同一般電話機における通信状態の動作制御の他の例を示すフローチャートである。
【００１３】
以下、本発明の一実施の形態である一般電話機を図１乃至図６に基づいて説明する。
【００１４】
図１において、１は通信前及び通信中において着信時にその着信元の発信者情報を通知する通信前情報通知サービス及び通信中情報通信サービスを提供する通信事業者の通信回線、２は通信回線１の捕捉／開放を行うと共に捕捉した通信回線１を介してその先に接続される相手側電話機との通信経路を形成する回線インターフェイス、３は回線インターフェイス２によって形成された通信経路を用いて相手側電話機との通話を行うマイクとスピーカとからなるハンドセット、４はハンドセット３の載置／取上操作によるオンフック／オフフックを検出するフック検出部である。
【００１５】
５はダイヤルパルス又はＤＴＭＦ信号を回線インターフェイス２より通信回線１に出力するダイヤル装置、６は着信時に通信回線１から送られてくる発信者電話番号を受信する発番号受信部、７は通信回線１からの呼出信号を検出する着信検出部、８は電話番号や相手先名称の入力及び各種機能のオン／オフ設定等を行う操作入力部である。
【００１６】
９は発番号受信部６によって受信された発信者電話番号や操作入力部８によって入力された電話番号及び相手先名称等からなる電話帳データを記憶する記憶装置、１０は発番号受信部６によって受信された発信者電話番号や操作入力部８によって入力された電話番号及び相手先名称や記憶装置９から読み出された電話番号及び相手先名称や通信時間や通信料金等の各種情報を表示する表示部、１１は発番号受信部６によって受信された発信者電話番号や操作入力部８によって入力された電話番号及び相手先名称や記憶装置９から読み出された電話番号や相手先名称を音声に変換する音声発声部、１２は音声発声部１１によって変換された音声を外部に放音するスピーカ、１３は各部の制御を行う主制御部である。
【００１７】
以下、上記のように構成された一般電話機について、まず、待機状態の動作を図２及び図３に示す説明図並びに図４に示すフローチャートに基づいて説明する。
【００１８】
待機状態において、発番号受信部６によって通信回線１から到来する情報受信端末起動信号が受信される（ステップＳ１）と、主制御部１３は回線インターフェイス２によって通信回線１を捕捉させて通信回線１から到来する発信者電話番号を発番号受信部６によって受信させる（ステップＳ２）と共に、発信者電話番号の受信終了後に回線インターフェイス２によって通信回線１を開放させ、発番号受信部６によって受信された発信者電話番号を記憶装置９に記憶させる（ステップＳ３）。
【００１９】
その後、主制御部１３は記憶装置９に記憶された発信者電話番号と記憶装置９に予め記憶された電話帳データとを比較し（ステップＳ４）、一致するデータが存在するとき、その対応する電話帳データを読み出して相手先名称を表示部１０に表示させ（ステップＳ５）、又一致するデータが存在しないとき、発信者電話番号を表示部１０に表示させる（ステップＳ６）。
【００２０】
その後、着信検出部７によって通信回線１からの呼出信号が検出されたとき（ステップＳ７）、主制御部１３は記憶装置９に記憶された発信者電話番号と一致する電話帳データが存在する場合において、その対応する電話帳データの相手先名称を音声発声部１１によって音声信号に変換してスピーカ１１より放音させ、又一致する電話帳データが存在しない場合において呼出音をスピーカ１１より放音させて使用者を呼び出し（ステップＳ８）、その後、着信検出部７によって通信回線１からの呼出信号が検出されなくなったとき（ステップＳ９）、待機状態に移行させ、又フック検出部４によってオフフックが検出されたとき（ステップＳ１０）、回線インターフェイス２によって通信回線１を捕捉させて通信状態に移行させる。
【００２１】
尚、待機状態において着信検出部７によって通信回線１からの呼出信号が検出された場合（ステップＳ１１）には、主制御部１３は呼出音をスピーカ１１より放音させて使用者を呼び出し（ステップＳ８）、その後、着信検出部７によって通信回線１からの呼出信号が検出されなくなったとき（ステップＳ９）、待機状態に移行させ、又フック検出部４によってオフフックが検出されたとき（ステップＳ１０）、回線インターフェイス２によって通信回線１を捕捉させて通信状態に移行させる。
【００２２】
即ち、図２（ａ）又は図２（ｂ）に示すような電話帳データが記憶装置９に記憶されている状態において、発番号受信部６によって「０８２４○○○○○○」といった発信者電話番号が受信された場合には、図３（ａ）に示されるように「ハヤシ／シャープ」といった文字が表示部１０に表示されて使用者に通知される共に、「シャープのハヤシさんからお電話です」といった音声がスピーカ１２より放音されて使用者の呼び出しが行われる。
【００２３】
従って、上記動作制御によれば、通信状態に移行する前において着信を受けた場合であって、その着信時に発番号受信部６によって受信された発信者電話番号に対応する電話帳データが記憶装置９に記憶されているとき、使用者に発信者に関するより多くの情報を通知することができる。
【００２４】
次に、通信状態の動作の一例を図２及び図３に示す説明図並びに図５に示すフローチャートに基づいて説明する。
【００２５】
通信状態において、着信検出部７によって通信回線１から到来する着信表示音が検出され（ステップＳ２１）、且つ着信表示音に続いて通信回線１から到来する情報受信端末起動音が発番号検出部７によって受信される（ステップＳ２２）と、主制御部１３は通信回線１から到来する発信者電話番号を発番号受信部６によって受信させる（ステップＳ２３）と共に、発番号受信部６によって受信された発信者電話番号を記憶装置９に記憶させる（ステップＳ２４）。尚、この間は交換機において通信相手との通信パスは切断される。
【００２６】
その後、主制御部１３は記憶装置９に記憶された発信者電話番号と記憶装置９に予め記憶された電話帳データとを比較し（ステップＳ２５）、一致するデータが存在するとき、その対応する電話帳データを読み出して相手先名称の一部を表示部１０に表示させたり、その相手先名称の一部を音声発声部１１によって音声信号に変換してスピーカ１１より放音させて使用者に割り込みがあることを通知し（ステップＳ２６）、又一致するデータが存在しないとき、発信者電話番号を表示部１０に表示させたり、呼出音をスピーカ１１より放音させて使用者に割り込みがあることを通知する（ステップＳ２７）。尚、この通知は通信回線１から到来する着信表示音が着信検出部７によって検出されなくなるまで行われる。
【００２７】
即ち、図２（ａ）に示すような電話帳データが記憶装置９に記憶されている状態において、発番号受信部６によって「０８２４○○○○○○」といった発信者電話番号が受信された場合には、図３（ｂ）に示されるように「ハヤシ」といった文字が表示部１０に表示されて使用者に通知される共に、「ハヤシから電話」といった音声がスピーカ１２より放音されて使用者の呼び出しが行われる。
【００２８】
従って、上記動作制御によれば、通信状態において着信を受けた場合であって、その着信時に発番号受信部６によって受信された発信者電話番号に対応する電話帳データが記憶装置９に記憶されているとき、使用者に発信者に関する必要最低限の情報を通知することができる。
【００２９】
次に、通信状態の動作の他の例を図２及び図３に示す説明図並びに図６に示すフローチャートに基づいて説明する。
【００３０】
通信状態において、着信検出部７によって通信回線１から到来する着信表示音が検出され（ステップＳ３１）、且つ着信表示音に続いて通信回線１から到来する情報受信端末起動音が発番号検出部７によって受信される（ステップＳ３２）と、主制御部１３は通信回線１から到来する発信者電話番号を発番号受信部６によって受信させる（ステップＳ３３）と共に、発番号受信部６によって受信された発信者電話番号を記憶装置９に記憶させる（ステップＳ３４）。尚、この間は交換機において通信相手との通信パスは切断される。
【００３１】
その後、主制御部１３は記憶装置９に記憶された発信者電話番号と記憶装置９に予め記憶された電話帳データとを比較し（ステップＳ３５）、一致するデータが存在するとき、その対応する電話帳データを読み出して通信中用相手先名称のを表示部１０に表示させたり、その通信中用相手先名称を音声発声部１１によって音声信号に変換してスピーカ１１より放音させて使用者に割り込みがあることを通知し（ステップＳ３６）、又一致するデータが存在しないとき、発信者電話番号を表示部１０に表示させたり、呼出音をスピーカ１１より放音させて使用者に割り込みがあることを通知する（ステップＳ３７）。尚、この通知は通信回線１から到来する着信表示音が着信検出部７によって検出されなくなるまで行われる。
【００３２】
即ち、図２（ｂ）に示すような電話帳データが記憶装置９に記憶されている状態において、発番号受信部６によって「０８２４○○○○○○」といった発信者電話番号が受信された場合には、図３（ｃ）に示されるように「ヒロ」といった文字が表示部１０に表示されて使用者に通知される共に、「ヒロから電話」といった音声がスピーカ１２より放音されて使用者の呼び出しが行われる。
【００３３】
従って、上記動作制御によれば、通信状態において着信を受けた場合であって、その着信時に発番号受信部６によって受信された発信者電話番号に対応する電話帳データが記憶装置９に記憶されているとき、使用者に発信者に関する必要最低限の情報を通知することができる。
【００３４】
尚、上記実施の形態では、発番号受信部６によって受信された発信者電話番号に対応する電話帳データが記憶装置９に記憶されていないとき、図３（ｄ）（ｅ）に示されるように発番号受信部６によって受信された発信者電話番号を表示部１０に表示させたり、呼出音をスピーカ１２より放音させるようにしたが、これに限定されるものではなく、例えば、上数桁の番号に対応させて地名や機種名（ＰＨＳ及び携帯電話等）や非通知理由等を登録しておくことによって地名や機種名や非通知理由を表示させたり放音させたりしても良い。
【００３５】
【発明の効果】
以上のように、本発明によれば、着信を受けたとき、その着信元の発信者情報に対応する情報を報知すると共に、その報知する情報を、通信前に着信を受けたときと通信中に着信を受けたときで異ならせることにより、通信前と通信中とに報知する情報をそれぞれ最適なものとすることができるため、通信に支障を来すことなく、使用者に発信者の情報をより多く伝えることができる。
【００３６】
又、本発明によれば、通信前に着信を受けたとき、その着信元の発信者情報に対応する情報を報知する、通信中に着信を受けたとき、その着信元の発信者情報に対応する情報の一部を報知することにより、通信前と通信中とに報知する情報をそれぞれ最適なものとすることができるため、通信に支障を来すことなく、使用者に発信者の情報をより多く伝えることができると共に、それに伴うメモリ容量の増大を抑制することができる。
【図面の簡単な説明】
【図１】本発明の通信装置の一実施の形態である一般電話機の構成を示す機能ブロック図である。
【図２】同一般電話機における記憶装置のデータ構成を示す説明図であり、（ａ）は一例を、（ｂ）は他の例をそれぞれ示す。
【図３】同一般電話機における表示部のデータ表示例を示す説明図であり、（ａ）〜（ｃ）は電話帳データ登録されている場合における通信前及び通信中の表示例を、（ｄ）〜（ｅ）は電話帳データ登録されていない場合における通信前及び通信中の表示例をそれぞれ示す。
【図４】同一般電話機における待機状態の動作制御を示すフローチャートである。
【図５】同一般電話機における通信状態の動作制御の一例を示すフローチャートである。
【図６】同一般電話機における通信状態の動作制御の他の例を示すフローチャートである。
【符号の説明】
１    通信回線
２    回線インターフェイス
３    ハンドセット
４    フック検出部
５    ダイヤル装置
６    発番号受信部
７    着信検出部
８    操作入力部
９    記憶装置
１０    表示部
１１    音声発声部
１２    スピーカ
１３    主制御部
【図１】
0003544327.tif 000002
【図２】
0003544327.tif 000003
【図３】
0003544327.tif 000004
【図４】
0003544327.tif 000005
【図５】
0003544327.tif 000006
【図６】
0003544327.tif 000007